(57)【特許請求の範囲】
【請求項１】
建物の入居者を識別する個人識別データを読み取ることで個人認証を行う認証装置と、前記認証装置の個人認証の結果に応じて建物の入居者の入退室を処理動作する入退室装置と、前記認証装置および前記入退室装置を制御する、建物内に設置される、二以上の第一の情報制御装置と、
前記第一の情報制御装置とネットワークを介して接続され、前記個人識別データの送受信を行う第二の情報制御装置と、を有し、
建物の入居者に対するセキュリティ制御を行う個人識別データ管理システムにおいて、
前記第一の情報制御装置は、
少なくとも、建物の入居者を登録する第一の個人フィールドと、個人識別データの更新処理を行った日時を登録する第一の更新日時フィールドとを有して個人識別データを記憶する第一の記憶手段を備え、
前記第二の情報制御装置は、
少なくとも、建物の入居者を登録する第二の個人フィールドと、個人識別データの更新処理を行った日時を登録する第二の更新日時フィールドとを有して個人識別データを記憶する第二の記憶手段を備え、
前記第一の情報制御装置を代表する代表情報制御装置が前記代表情報制御装置以外の他の第一の情報制御装置に対して同期をとる場合において、前記代表情報制御装置の前記第一の記憶手段の前記第一の個人フィールドに登録された入居者が、前記他の第一の情報制御装置の前記第一の記憶手段の前記第一の個人フィールドに登録された入居者と一致し、前記代表情報制御装置の前記第一の記憶手段の前記第一の更新日時フィールドに登録された更新日時が、前記他の第一の情報制御装置の前記第一の記憶手段の前記第一の更新日時フィールドに登録された更新日時よりも古いときは、前記代表情報制御装置は、前記代表情報制御装置の前記第一の記憶手段が記憶する、当該入居者に係る個人識別データを、前記他の第一の情報制御装置の前記第一の記憶手段が記憶する、当該入居者に係る個人識別データと同一のものに変更するように更新し、
前記第二の情報制御装置が前記代表情報制御装置に対して同期をとる場合において、前記第二の情報制御装置の前記第二の記憶手段の前記第二の個人フィールドに登録された入居者が、前記代表情報制御装置の前記第一の記憶手段の前記第一の個人フィールドに登録された入居者と一致し、前記第二の情報制御装置の前記第二の記憶手段の前記第二の更新日時フィールドに登録された更新日時が、前記代表情報制御装置の前記第一の記憶手段の前記第一の更新日時フィールドに登録された更新日時よりも古いときは、前記第二の情報制御装置は、前記第二の情報制御装置の前記第二の記憶手段が記憶する、当該入居者に係る個人識別データを、前記代表情報制御装置の前記第一の記憶手段が記憶する、当該入居者に係る個人識別データと同一のものに変更するように更新し、
前記代表情報制御装置が前記第二の情報制御装置に対して同期をとる場合において、前記代表情報制御装置の前記第一の記憶手段の前記第一の個人フィールドに登録された入居者が、前記第二の情報制御装置の前記第二の記憶手段の前記第二の個人フィールドに登録された入居者と一致し、前記代表情報制御装置の前記第一の記憶手段の前記第一の更新日時フィールドに登録された更新日時が、前記第二の情報制御装置の前記第二の記憶手段の前記第二の更新日時フィールドに登録された更新日時よりも古いときは、前記代表情報制御装置は、前記代表情報制御装置の前記第一の記憶手段が記憶する、当該入居者に係る個人識別データを、前記第二の情報制御装置の前記第二の記憶手段が記憶する、当該入居者に係る個人識別データと同一のものに変更するように更新し、
前記他の第一の情報制御装置が前記代表情報制御装置に対して同期をとる場合において、前記他の第一の情報制御装置の前記第一の記憶手段の前記第一の個人フィールドに登録された入居者が、前記代表情報制御装置の前記第一の記憶手段の前記第一の個人フィールドに登録された入居者と一致し、前記他の第一の情報制御装置の前記第一の記憶手段の前記第一の更新日時フィールドに登録された更新日時が、前記代表情報制御装置の前記第一の記憶手段の前記第一の更新日時フィールドに登録された更新日時よりも古いときは、前記他の第一の情報制御装置は、前記他の第一の情報制御装置の前記第一の記憶手段が記憶する、当該入居者に係る個人識別データを、前記代表情報制御装置の前記第一の記憶手段が記憶する、当該入居者に係る個人識別データと同一のものに変更するように更新する
ことを特徴とする個人識別データ管理システム。
【請求項２】
前記第一の情報制御装置を代表する代表情報制御装置が二以上存在し、
一方の代表情報制御装置が他方の代表情報制御装置に対して同期をとる場合において、前記一方の代表情報制御装置の前記第一の記憶手段の前記第一の個人フィールドに登録された入居者が、前記他方の代表情報制御装置の前記第一の記憶手段の前記第一の個人フィールドに登録された入居者と一致し、前記一方の代表情報制御装置の前記第一の記憶手段の前記第一の更新日時フィールドに登録された更新日時が、前記他方の代表情報制御装置の前記第一の記憶手段の前記第一の更新日時フィールドに登録された更新日時よりも古いときは、前記一方の代表情報制御装置は、前記一方の代表情報制御装置の前記第一の記憶手段が記憶する、当該入居者に係る個人識別データを、前記他方の代表情報制御装置の前記第一の記憶手段が記憶する、当該入居者に係る個人識別データと同一のものに変更するように更新する
ことを特徴とする請求項１に記載の個人識別データ管理システム。
【請求項３】
建物の入居者を識別する個人識別データを読み取ることで個人認証を行う認証装置と、前記認証装置の個人認証の結果に応じて建物の入居者の入退室を処理動作する入退室装置と、前記認証装置および前記入退室装置を制御する、建物内に設置される、二以上の第一の情報制御装置と、
前記第一の情報制御装置とネットワークを介して接続され、前記個人識別データの送受信を行う第二の情報制御装置と、を有し、
建物の入居者に対するセキュリティ制御を行う個人識別データ管理システムにおける個人識別データ管理方法において、
前記第一の情報制御装置は、
少なくとも、建物の入居者を登録する第一の個人フィールドと、個人識別データの更新処理を行った日時を登録する第一の更新日時フィールドとを有して個人識別データを記憶する第一の記憶手段を備え、
前記第二の情報制御装置は、
少なくとも、建物の入居者を登録する第二の個人フィールドと、個人識別データの更新処理を行った日時を登録する第二の更新日時フィールドとを有して個人識別データを記憶する第二の記憶手段を備え、
前記第一の情報制御装置を代表する代表情報制御装置が前記代表情報制御装置以外の他の第一の情報制御装置に対して同期をとる場合において、前記代表情報制御装置の前記第一の記憶手段の前記第一の個人フィールドに登録された入居者が、前記他の第一の情報制御装置の前記第一の記憶手段の前記第一の個人フィールドに登録された入居者と一致し、前記代表情報制御装置の前記第一の記憶手段の前記第一の更新日時フィールドに登録された更新日時が、前記他の第一の情報制御装置の前記第一の記憶手段の前記第一の更新日時フィールドに登録された更新日時よりも古いときは、前記代表情報制御装置は、前記代表情報制御装置の前記第一の記憶手段が記憶する、当該入居者に係る個人識別データを、前記他の第一の情報制御装置の前記第一の記憶手段が記憶する、当該入居者に係る個人識別データと同一のものに変更するように更新する第一のステップと、
前記第二の情報制御装置が前記代表情報制御装置に対して同期をとる場合において、前記第二の情報制御装置の前記第二の記憶手段の前記第二の個人フィールドに登録された入居者が、前記代表情報制御装置の前記第一の記憶手段の前記第一の個人フィールドに登録された入居者と一致し、前記第二の情報制御装置の前記第二の記憶手段の前記第二の更新日時フィールドに登録された更新日時が、前記代表情報制御装置の前記第一の記憶手段の前記第一の更新日時フィールドに登録された更新日時よりも古いときは、前記第二の情報制御装置は、前記第二の情報制御装置の前記第二の記憶手段が記憶する、当該入居者に係る個人識別データを、前記代表情報制御装置の前記第一の記憶手段が記憶する、当該入居者に係る個人識別データと同一のものに変更するように更新する第二のステップと、
前記代表情報制御装置が前記第二の情報制御装置に対して同期をとる場合において、前記代表情報制御装置の前記第一の記憶手段の前記第一の個人フィールドに登録された入居者が、前記第二の情報制御装置の前記第二の記憶手段の前記第二の個人フィールドに登録された入居者と一致し、前記代表情報制御装置の前記第一の記憶手段の前記第一の更新日時フィールドに登録された更新日時が、前記第二の情報制御装置の前記第二の記憶手段の前記第二の更新日時フィールドに登録された更新日時よりも古いときは、前記代表情報制御装置は、前記代表情報制御装置の前記第一の記憶手段が記憶する、当該入居者に係る個人識別データを、前記第二の情報制御装置の前記第二の記憶手段が記憶する、当該入居者に係る個人識別データと同一のものに変更するように更新する第三のステップと、
前記他の第一の情報制御装置が前記代表情報制御装置に対して同期をとる場合において、前記他の第一の情報制御装置の前記第一の記憶手段の前記第一の個人フィールドに登録された入居者が、前記代表情報制御装置の前記第一の記憶手段の前記第一の個人フィールドに登録された入居者と一致し、前記他の第一の情報制御装置の前記第一の記憶手段の前記第一の更新日時フィールドに登録された更新日時が、前記代表情報制御装置の前記第一の記憶手段の前記第一の更新日時フィールドに登録された更新日時よりも古いときは、前記他の第一の情報制御装置は、前記他の第一の情報制御装置の前記第一の記憶手段が記憶する、当該入居者に係る個人識別データを、前記代表情報制御装置の前記第一の記憶手段が記憶する、当該入居者に係る個人識別データと同一のものに変更するように更新する第四のステップと、
を実行することを特徴とする個人識別データ管理方法。
【請求項４】
建物の入居者を識別する個人識別データを読み取ることで個人認証を行う認証装置と、前記認証装置の個人認証の結果に応じて建物の入居者の入退室を処理動作する入退室装置と、前記認証装置および前記入退室装置を制御する、建物内に設置される、二以上の第一の情報制御装置と、
前記第一の情報制御装置とネットワークを介して接続され、前記個人識別データの送受信を行う第二の情報制御装置と、を有し、
建物の入居者に対するセキュリティ制御を行う個人識別データ管理システムのコンピュータとして機能させる個人識別データ管理プログラムにおいて、
前記第一の情報制御装置は、
少なくとも、建物の入居者を登録する第一の個人フィールドと、個人識別データの更新処理を行った日時を登録する第一の更新日時フィールドとを有して個人識別データを記憶する第一の記憶手段を備え、
前記第二の情報制御装置は、
少なくとも、建物の入居者を登録する第二の個人フィールドと、個人識別データの更新処理を行った日時を登録する第二の更新日時フィールドとを有して個人識別データを記憶する第二の記憶手段を備え、
前記コンピュータに、
前記第一の情報制御装置を代表する代表情報制御装置が前記代表情報制御装置以外の他の第一の情報制御装置に対して同期をとる場合において、前記代表情報制御装置の前記第一の記憶手段の前記第一の個人フィールドに登録された入居者が、前記他の第一の情報制御装置の前記第一の記憶手段の前記第一の個人フィールドに登録された入居者と一致し、前記代表情報制御装置の前記第一の記憶手段の前記第一の更新日時フィールドに登録された更新日時が、前記他の第一の情報制御装置の前記第一の記憶手段の前記第一の更新日時フィールドに登録された更新日時よりも古いときは、前記代表情報制御装置は、前記代表情報制御装置の前記第一の記憶手段が記憶する、当該入居者に係る個人識別データを、前記他の第一の情報制御装置の前記第一の記憶手段が記憶する、当該入居者に係る個人識別データと同一のものに変更するように更新する第一の処理と、
前記第二の情報制御装置が前記代表情報制御装置に対して同期をとる場合において、前記第二の情報制御装置の前記第二の記憶手段の前記第二の個人フィールドに登録された入居者が、前記代表情報制御装置の前記第一の記憶手段の前記第一の個人フィールドに登録された入居者と一致し、前記第二の情報制御装置の前記第二の記憶手段の前記第二の更新日時フィールドに登録された更新日時が、前記代表情報制御装置の前記第一の記憶手段の前記第一の更新日時フィールドに登録された更新日時よりも古いときは、前記第二の情報制御装置は、前記第二の情報制御装置の前記第二の記憶手段が記憶する、当該入居者に係る個人識別データを、前記代表情報制御装置の前記第一の記憶手段が記憶する、当該入居者に係る個人識別データと同一のものに変更するように更新する第二の処理と、
前記代表情報制御装置が前記第二の情報制御装置に対して同期をとる場合において、前記代表情報制御装置の前記第一の記憶手段の前記第一の個人フィールドに登録された入居者が、前記第二の情報制御装置の前記第二の記憶手段の前記第二の個人フィールドに登録された入居者と一致し、前記代表情報制御装置の前記第一の記憶手段の前記第一の更新日時フィールドに登録された更新日時が、前記第二の情報制御装置の前記第二の記憶手段の前記第二の更新日時フィールドに登録された更新日時よりも古いときは、前記代表情報制御装置は、前記代表情報制御装置の前記第一の記憶手段が記憶する、当該入居者に係る個人識別データを、前記第二の情報制御装置の前記第二の記憶手段が記憶する、当該入居者に係る個人識別データと同一のものに変更するように更新する第三の処理と、
前記他の第一の情報制御装置が前記代表情報制御装置に対して同期をとる場合において、前記他の第一の情報制御装置の前記第一の記憶手段の前記第一の個人フィールドに登録された入居者が、前記代表情報制御装置の前記第一の記憶手段の前記第一の個人フィールドに登録された入居者と一致し、前記他の第一の情報制御装置の前記第一の記憶手段の前記第一の更新日時フィールドに登録された更新日時が、前記代表情報制御装置の前記第一の記憶手段の前記第一の更新日時フィールドに登録された更新日時よりも古いときは、前記他の第一の情報制御装置は、前記他の第一の情報制御装置の前記第一の記憶手段が記憶する、当該入居者に係る個人識別データを、前記代表情報制御装置の前記第一の記憶手段が記憶する、当該入居者に係る個人識別データと同一のものに変更するように更新する第四の処理と、
を実行させることを特徴とする個人識別データ管理プログラム。
【請求項５】
請求項４に記載の個人識別データ管理プログラムを記録した記録媒体。
【発明の詳細な説明】
【技術分野】
【０００１】
本発明は、主にセキュリティ管理を行うシステムを備える建物に出入りする者の個人識別データを管理する技術に関する。
【背景技術】
【０００２】
ビルやオフィスの施設や部屋等といった建物のセキュリティ管理のために、例えば、特許文献１に開示された技術がある。特許文献１では、ビル内において個人識別情報検出装置で検出された個人識別情報と、情報制御装置の記憶装置に登録された個人識別データとを照合し、個人認証を行うセキュリティ管理システムについて開示されている。この個人識別データは、ビルから離れた場所で、データの登録、変更、抹消等が管理される。新規個人識別データが登録されたり、既存の個人識別データが変更されたりした場合は、該当する個人識別データを、ビル外からビル内の情報制御装置へ伝送する。
【特許文献１】特開２００４−２６５１５８号公報
【発明の開示】
【発明が解決しようとする課題】
【０００３】
従来のセキュリティ管理システムにおいては、登録された個人識別データを最新にするために、センタに設置されるセンタサーバと、各建物内の情報制御装置との間で個人識別データの同期を取る。この場合、センタサーバは、各建物内の情報制御装置の一つ一つと順番に通信を行っていた。ただ、この方法では、センタにて管理する施設や部屋の数が多い場合、情報制御装置の数や管理する個人識別データの数も当然多くなる。このため、センタサーバの負荷が飛躍的に増大し、センタサーバと各建物内の情報制御装置との間で個人識別データの同期を取るために要する時間が増大するという問題がある。
【０００４】
上記事情を鑑みて、本発明では、センタサーバの負荷を低減し、センタサーバと各建物内の情報制御装置との間で個人識別データの同期を取るために要する時間を短縮することを目的とする。
【課題を解決するための手段】
【０００５】
本発明では、まず、ある建物において構築されたネットワークに接続される情報制御装置から代表となる代表情報制御装置を選び、その代表情報制御装置が残りの情報制御装置の記憶する個人識別データに基づいて同期をとる。次に、前記ネットワークに接続されるセンタサーバが代表情報制御装置の記憶する個人識別データに基づいて同期をとる。次に、代表情報制御装置が、センタサーバの記憶する個人識別データに基づいて同期をとる。最後に、残りの情報制御装置が代表情報制御装置の記憶する個人識別データに基づいて同期をとる。
【０００６】
従来はセンタサーバが行っていた同期の処理の大部分を代表情報制御装置が行うことになるので、負荷が分散された状態になり、センタサーバの負荷は低減され、ひいては、センタサーバが占有される時間を削減することができる。これにより、センタサーバに求められる性能の低減化や、センタにて管理可能な施設や部屋の数を増やすように設計することが可能となる。詳細は、後記する。
【発明の効果】
【０００７】
本発明によれば、センタサーバの負荷を低減し、センタサーバと各建物内の情報制御装置との間で個人識別データの同期を取るために要する時間を短縮することができる。
【発明を実施するための最良の形態】
【０００８】
以下、本発明を実施するための最良の形態（以下、「実施形態」という。）について説明する。説明する際には、本明細書と同時に提出する図面を適宜参照する。なお、本実施形態で取り扱う建物は、多数の居室を備えたマンションであるとする。
【０００９】
≪構成≫
図１は、本実施形態の個人識別データ管理システムの概略構成をブロック図として図示したものである。この個人識別データ管理システムでは、センタ１０と、複数のマンションシステム２０と、複数のセンタクライアント１１０とが、ネットワーク３０を介して接続されている。このような構成により、マンションに入居する者の入退室等のセキュリティ管理が行なわれる。
【００１０】
センタ１０は、データベース（ＤＢ）１０１を備え、ネットワーク３０と接続するセンタサーバ１００と、センタサーバ１００に接続したセンタクライアント１１０とを有して構成される。
【００１１】
センタサーバ１００は、キーボードやマウス等で実装された入力部１００ａ、例えばＣＰＵ（Central Processing Unit：中央制御装置）等で実装された制御部１００ｂ、読み書きされるデータを展開するための記憶領域を確保するＲＡＭ(Random Access Memory)や外部記憶装置としてのＨＤＤ（Hard Disk Drive）等で実装された記憶部１００ｃおよびディスプレイ（表示部）やマイク（音出力部）等で実装された出力部１００ｄといったハードウェア資源を備えた、一般的なコンピュータである。そして、制御部１００ｂは、マンションに入居する者を識別するデータの管理や、その者に対する個人認証などを含むセキュリティ制御に関する情報処理を実行するためのプログラムを格納したＲＯＭ（Read Only Memory）等の記録媒体から、そのプログラムを読み出す。
【００１２】
データベース１１０には、各マンションの各居室に備えられた装置のＩＰ（Internet Protocol）アドレス（ネットワーク３０の仕様等に応じてグローバルＩＰアドレスでも良いし、プライベートＩＰアドレスでも良い。）やマンション内の各装置と通信を行うための通信ポート、マンションの棟・階・居室に関する情報、マンションの住人が入退室を行う際に認証に用いるＩＣ（Integrated Circuit）カードに記憶されたカードデータ（個人識別データ）およびマンションに設置されている機器の情報等が格納されている。
【００１３】
センタ１０内に設置されたセンタクライアント１１０は、入力部、制御部、記憶部および出力部といったハードウェア資源を備えた、一般的なコンピュータである。センタサーバ１００と接続して通信を行い、カードデータの登録・変更・削除等をセンタサーバ１００に指示することができる。センタサーバ１００はその指示に従い、データベース１１０へのカードデータの登録・変更・削除・閲覧等を行う。
【００１４】
ネットワーク３０に接続したセンタクライアント１１０は、センタ１０内に設置されたセンタクライアント１１０と同等の機能を有する一般的なコンピュータであり、センタ１０が設置された場所とは異なる場所（例えば、日本全国に亘って）設置されている。カードデータの登録・変更・削除等をセンタサーバ１００に指示することができる。
【００１５】
マンションシステム２０は、複数の共用部制御装置２１０と複数の専有部制御装置２２０とカードデータ登録装置２３０が、外部のネットワーク３０と接続させているルータ２００を介して接続されることにより、当該マンションに入退室等する者を管理するシステムを構成している。
【００１６】
共用部制御装置２１０は、マンションの集合玄関や会議室等のような共用部における居住者の入退を管理する装置であり、ルータ２００に接続された情報制御装置２１１と、カードリーダ２１２と、自動ドア２１３とを有して構成されている。
【００１７】
情報制御装置２１１は、キーボードやマウス等で実装された入力部２１１ａ、例えばＣＰＵ等で実装された制御部２１１ｂ、読み書きされるデータを展開するための記憶領域を確保するＲＡＭや外部記憶装置としてのＨＤＤ等で実装された記憶部２１１ｃおよびディスプレイ（表示部）やマイク（音出力部）等で実装された出力部２１１ｄといったハードウェア資源を備えた、一般的なコンピュータである。この情報制御装置２１１はルータ２００と接続することにより外部のネットワーク３０を介して、センタサーバ１００等と通信することができる。そして、制御部２１１ｂは、マンションに入居する者を識別するデータの管理や、その者に対する個人認証などを含むセキュリティ制御に関する情報処理を実行するためのプログラムを格納したＲＯＭ等の記録媒体から、そのプログラムを読み出す。また、記憶部２１１ｃは、当該マンションの住人のカードデータを記憶している。
【００１８】
カードリーダ２１２は、マンションの住人が入退室を行う際に、その者が所有しているＩＣカードからカードデータを読み取ることで個人認証を行う認証装置である。個人認証を行うときは、ＩＣカードから読み込んだカードデータと、情報制御装置２１１の記憶部２１１ｃにて記憶されたカードデータとを照合する。また、自動ドア２１３は、カードリーダ２１２による個人認証が成功したときに開閉するドアである。
【００１９】
専有部制御装置２２０は、マンションの住人の各居室、つまり、許可された者だけが入ることのできる領域である専有部への入退を管理する装置であり、ルータ２００に接続された情報制御装置２２１と、カードリーダ２２２と、電気錠２２３とを有して構成されている。
【００２０】
情報制御装置２２１は、キーボードやマウス等で実装された入力部２２１ａ、例えばＣＰＵ等で実装された制御部２２１ｂ、読み書きされるデータを展開するための記憶領域を確保するＲＡＭや外部記憶装置としてのＨＤＤ等で実装された記憶部２２１ｃおよびディスプレイ（表示部）やマイク（音出力部）等で実装された出力部２２１ｄといったハードウェア資源を備えた、一般的なコンピュータである。この情報制御装置２２１はルータ２００と接続することにより外部のネットワーク３０を介して、センタサーバ１００等と通信することができる。そして、制御部２２１ｂは、マンション内の当該居室に入居する者を識別するデータの管理や、その者に対する個人認証などを含むセキュリティ制御に関する情報処理を実行するためのプログラムを格納したＲＯＭ等の記録媒体から、そのプログラムを読み出す。また、記憶部２２１ｃは、当該入居者のカードデータを記憶している。
【００２１】
カードリーダ２２２は、マンションの住人がその居室への入退室を行う際に、その者が所有しているＩＣカードからカードデータを読み込むことで個人認証を行う認証装置である。個人認証を行うときは、ＩＣカードから読み込んだカードデータと、情報制御装置２２１の記憶部２２１ｃにて記憶されたカードデータとを照合する。また、電気錠２２３は、カードリーダ２１２による個人認証が成功したときに開錠する機器であり、当該居室のドアの、例えばドアノブの周囲に取り付けられている。
【００２２】
カードデータ登録装置２３０は、入力部、制御部、記憶部および出力部といったハードウェア資源を備えた、一般的なコンピュータであり、例えば、マンションの管理人室等に設置される装置である。ルータ２００に接続することですべての共用部の情報制御装置２１０、関係する専有部の情報制御装置２２０、および外部のネットワーク３０を介してセンタサーバ１００等と通信を行い、カードデータの登録・変更・削除等を行う。なお、カードデータ登録装置２３０は、マンションの管理人が当該マンションの入居者を管理できるように、記憶部において、すべての共用部の情報制御装置２１０とすべての専有部の情報制御装置２２０のＩＰアドレスを保持している。
【００２３】
次に、本実施形態の個人識別データ管理システムで用いられるデータのデータ構造について説明する。図２は、一のマンションを対象とするカードデータのデータ構造を図示したものである。
【００２４】
図２に示すカードデータは、マンションの居室を識別する居室番号が登録される居室番号フィールド２００１と、居室番号で識別された居室に入室することを許可された者を識別し、その者が所有するカード（ＩＣカード等）に記憶されている識別番号（カードＩＤ（Identification））と同一の識別番号が登録されるカードＩＤフィールド２００２と、識別番号で特定される者がカードを使用して当該マンションに入退室できるか否かを示すフラグの値を登録する有効／無効フラグフィールド２００３と、カードデータの更新が行われた日時を登録する更新日時フィールド２００４とを有する。このデータは、主にセンタ１０のデータベース１０１および共用部制御装置２１０の情報制御装置２１１の記憶部２１１ｃに記憶されており、マンションに入退室できる者をレコードとして管理している。なお、共用部制御装置２１０の情報制御装置２１１は、当該共用部が設置されているマンションに入退室する者のみについてカードデータを登録しているが、センタ１０のセンタサーバ１００は、ネットワーク３０に接続されているすべてのマンションシステム２０のマンションについて、上記カードデータを登録している。
【００２５】
図２に示すカードデータは、居室番号フィールド２００１において、居室番号で昇順にソートされており、居室番号が同じデータについては、さらに、カードＩＤフィールド２００２において、カードＩＤで昇順にソートされているものとする。また、有効／無効フラグフィールド２００３には、その者がカードを使用してマンションに入退室できるときは「１」という値が、できないときは「０」という値が登録される。
【００２６】
図３は、情報制御装置情報のデータ構造を図示したものである。「情報制御装置情報」とは、マンションに設置されている情報制御装置の仕様について定めた情報である。
【００２７】
図３に示す情報制御装置情報は、当該情報制御装置が設置されている居室を識別する識別番号が登録される居室番号フィールド３００１と、その情報制御装置のＩＰアドレスが登録されるＩＰアドレスフィールド３００２とを有する。このデータは、主にセンタ１０のデータベース１０１および共用部制御装置２１０の情報制御装置２１１の記憶部２１１ｃに記憶されており、情報識別装置をレコードとして管理している。なお、共用部制御装置２１０の情報制御装置２１１は、当該共用部が設置されているマンションに設置されている情報制御装置のみについて情報制御装置情報を登録しているが、センタ１０のセンタサーバ１００は、ネットワーク３０に接続されているすべてのマンションシステム２０のマンションについて、上記情報制御装置情報を登録している。情報制御装置情報は、居室番号フィールド３００１において、居室番号で昇順にソートされているものとする。
【００２８】
図４は、一のマンションにある、居室番号が010201で識別される居室を対象とするカードデータのデータ構造を図示したものである。
【００２９】
図４に示すカードデータは、010201という居室番号で識別された居室に入室することを許可された者を識別し、その者が所有するカード（ＩＣカード等）に記憶されている識別番号（カードＩＤ）と同一の識別番号が登録されるカードＩＤフィールド４００１と、識別番号で特定される者がカードを使用して当該マンションに入退室できるか否かを示すフラグの値を登録する有効／無効フラグフィールド４００２と、カードデータの更新が行われた日時を登録する更新日時フィールド４００３とを有する。このデータは、主に専有部制御装置２２０の情報制御措置２２１の記憶部２２１ｃに記憶されており、010201という居室番号で識別された居室に入退室できる者をレコードとして管理している。
【００３０】
なお、図２に示すように、共用部制御装置２１０の情報制御装置２１１は、当該共用部が設置されているマンションに入退室する者全員が利用するため、全員分ついてカードデータを登録している。しかし、図４に示すように、専有部制御装置２２０の情報制御装置２２１は、当該居室に入退室する者のみが利用するため、その者たちについてのみのカードデータを登録している。このようにして、専有部制御装置２２０の情報制御装置２２１が記憶する情報量を低減させることにより、個人識別データ管理システムにおけるリソースを有効に活用することができる。なお、図４に示すカードデータは、カードＩＤフィールド４００１において、カードＩＤで昇順にソートされているものとする。
【００３１】
≪処理動作≫
センタ１０のデータベース１０１に登録されるカードデータが更新（登録・変更・削除等）されるときの処理動作について説明する。この更新の処理動作は、センタサーバ１００の入力部１００ａから更新する旨の要求情報の入力がなされたとき、または、センタクライアント１１０から更新する旨の要求情報を受信したときに実行される。更新を行うときには、センタサーバ１００の制御部１００ｂによって、入力または受信した要求情報から更新したい居室番号またはカードＩＤが判別され、その一方でデータベース１０１に登録されたカードデータが読み出される（図２参照）。その後、判別された居室番号またはカードＩＤを検索キーとして、居室番号フィールド２００１にて値が一致する居室番号、またはカードＩＤフィールド２００２にて値が一致するカードＩＤを存在すれば特定し、特定した居室番号またはカードＩＤに対応するレコードを抽出する。
【００３２】
カードデータの登録を行う場合には、例えば、当該マンションに新たに入居する者が現れて新規のカードデータを追加すること等を意味しており、判別されたカードＩＤを検索キーとして、データベース１０１を検索しても一致する値は存在しないので、新たにレコードを作成する。作成する場合には、有効／無効フラグフィールド２００３には「１」を登録し、更新日時フィールド２００４には、例えば、その作成を行った日時を登録する。
【００３３】
カードデータの変更を行う場合には、抽出したレコードにおいて、変更対象となるフィールドの値を変更する。そして、更新日時フィールド２００４には、例えば、その変更を行った日時を登録する。
【００３４】
カードデータの削除を行う場合には、例えば、その者がマンションから退去する、カードを紛失した、等の事情があったことを意味しており、抽出したレコードにおいて、有効／無効フラグフィールド２００３の値を「０」に変更する。そして、更新日時フィールド２００４には、例えば、その変更を行った日時を登録する。
【００３５】
このような更新の処理動作を行った後、該当マンションの共用部制御装置２１０および専有部制御装置２２０へのデータの送信を併せて行っても良い。
【００３６】
次に、カードデータ登録装置２３０に登録されるカードデータが更新（登録・変更・削除等）されるときの処理動作について説明する。この更新の処理動作は、基本的には、センタ１０のデータベース１０１におけるそれと同様であるので、説明を省略するが、この動作が終了した後には、すべての共用部制御装置２１０の情報制御装置２１１および該当する専有部制御装置２２０の情報制御装置２２１に登録されるカードデータの更新処理が行われる。共用部制御装置２１０の情報制御装置２１１および専有部制御装置２２０の情報制御装置２２１にてなされる更新の動作処理も、基本的には、センタ１０のデータベース１０１におけるそれと同様であるので、説明を省略する。
【００３７】
このような更新の処理動作を行った後、センタ１０のデータベース１０１の更新を併せて行っても良い。
【００３８】
次に、センタ１０のデータベース１０１と、マンションシステム２０のすべての情報制御装置２１１、２２１との間でカードデータの同期をとるときの処理動作について説明する。まず、該当のマンションシステム２０内の共用部制御装置２１０の情報制御装置２１１の中から代表となる代表情報制御装置を任意に選択する。代表となる情報制御装置を、当該マンションの入居者全員のカードデータを記憶している共用部制御装置２１０の情報制御装置２１１の中から選択することで、その後に行う処理を円滑に行うことができる。ただし、専有部制御装置２２０の情報制御装置２２１であっても、すべてのカードデータを取得できるように処理を行えば、この情報制御装置２２１が代表情報制御装置になっても良い。
【００３９】
次に、この代表情報制御装置は、情報制御装置情報（図３参照）をもとに他のすべての情報制御装置２１１および２２１と順番に通信を行い、代表情報制御装置のカードデータを更新する。代表情報制御装置の記憶部から情報制御装置情報を読み出し、ＩＰアドレスを特定した後、ルータ２００を介して特定したＩＰアドレスにより特定される情報制御装置にアクセスし、その記憶部に登録されたカードデータを読み出し、カードデータの更新の処理動作を行う。更新の手順に関する詳細は後記する。なお、必要に応じて、カードデータ登録装置２３０から入力されたカードデータ等を用いて、代表情報制御装置のカードデータを更新する更新する場合もある。
【００４０】
代表情報制御装置によるカードデータの更新が完了した後、センタ１０のデータベース１０１に登録されたカードデータを代表情報制御装置に登録されたカードデータにより更新する。代表情報制御装置はセンタサーバ１００に対し、同期を行うように要求情報を送信する。センタサーバ１００は要求情報を受信すると、代表情報制御装置の記憶部にアクセスし、代表情報制御装置の記憶部に登録されたカードデータを読み出し、またデータベース１０１にアクセスし、データベース１０１に登録されたカードデータを読み出す。双方のカードデータを比較してデータベース１０１のカードデータの更新の処理動作を行う。更新の手順に関する詳細は後記する。なお、必要に応じて、センタクライアント１１０からから入力されたカードデータ等を用いて、データベース１０１に登録されたカードデータを更新する場合もある。
【００４１】
その後、代表情報制御装置に登録されたカードデータを、センタ１０のデータベース１０１に登録されたカードデータにより更新する。センタサーバ１００は代表情報制御装置に対し、同期を行うように要求情報を送信する。代表情報制御装置は要求情報を受信すると、センタ１０のデータベース１０１にアクセスし、データベース１０１に登録されたカードデータを読み出し、また代表情報制御装置の記憶部に登録されたカードデータを読み出す。双方のカードデータを比較して代表情報制御装置の記憶部のカードデータの更新の処理動作を行う。更新の手順に関する詳細は後記する。
【００４２】
最後に、代表情報制御装置に登録されたカードデータにより、他のすべての情報制御装置２１１、２２１に登録されたカードデータを更新する。代表情報制御装置は他のすべての情報制御装置２１１、２２１の各々に対し、同期を行うように要求情報を送信する。他のすべての情報制御装置２１１、２２１の各々は、要求情報を受信すると、代表情報制御装置の記憶部にアクセスし、その記憶部に登録されたカードデータを読み出し、また他のすべての情報制御装置２１１、２２１の各々の記憶部に登録されたカードデータを読み出す。双方のカードデータを比較して他のすべての情報制御装置２１１、２２１の各々の記憶部のカードデータの更新の処理動作を行う。更新の手順に関する詳細は後記する。
【００４３】
以上のような、４度の更新処理により、センタ１０のデータベース１０２とマンションシステム２０のすべての情報制御装置２１１および２２１との間で、カードデータの同期が完了する。
【００４４】
なお、同期を取るタイミングは、センタ１０から同期命令が出された時（例えば、センタサーバ１００の入力部１００ａまたはセンタクライアント１１０の入力部から同期命令が入力された時）に行っても良いし、各マンションシステム２０において定期的に実行するようにスケジュールを設定して（例えば、代表情報制御装置またはカードデータ登録装置２３０が記憶するスケジュール用のソフトウェアを実行することにより定められたスケジュールを設定して）自動的に実行しても良い。
【００４５】
次に、各装置間で同期を行うときになされる更新の手順の詳細について説明する。説明の便宜上、共用部制御装置２１０の情報制御装置２１１、専有部制御装置２２０の情報制御装置２２１、センタサーバ１１０を単に「装置」と総称する。なお、マンションの全居室のカードデータに関して更新を行うときの手順と、マンションのある１つの居室のカードデータに関して更新を行うときの手順とは、別々に説明する。
【００４６】
図５は、マンションの全居室のカードデータに関して、装置Ｂ（図５中では、「Ｂ」と表記される装置）のカードデータを用いて装置Ａ（図５中では、「Ａ」と表記される装置）のカードデータを更新する処理手順をフローチャートとして図示したものである。また、図６は、マンションのある１つの居室のカードデータに関して、装置Ｂ（図６中では、「Ｂ」と表記される装置）のカードデータを用いて装置Ａ（図６中では、「Ａ」と表記される装置）のカードデータを更新する処理手順をフローチャートとして図示したものである。
【００４７】
図５で示す更新の処理手順は以下の通りである。まず、ステップＳ５０１において、装置Ａ、Ｂからともに先頭のカードデータを（例えば、図２に示すカードデータのうち最も上位にあるレコードを）読込む。そのカードデータを読込めばステップＳ５０２に進む。
【００４８】
ステップＳ５０２において、装置Ａからカードデータを読込めたか否かを判定する。装置Ａからカードデータを読込めたときは（ステップＳ５０２でＹｅｓ）、ステップＳ５０３に進み、読込めないときは（ステップＳ５０２でＮｏ）、ステップＳ５０４に進む。
【００４９】
ステップＳ５０３において、装置Ｂからカードデータを読込めたか否かを判定する。装置Ｂからカードデータを読込めたときは（ステップＳ５０３でＹｅｓ）、ステップＳ５０５に進み、読込めないときは（ステップＳ５０３でＮｏ）、もはや装置Ｂが装置Ａに更新させるべきカードデータは存在しないことを意味するので、処理を終了する。
【００５０】
ステップＳ５０４において、もはや装置Ａに更新されることになるカードデータは存在しないことを意味するので、装置Ｂから装置Ａに残りの全てのカードデータを追加（登録）して、処理を終了する。
【００５１】
ステップＳ５０５において、装置Ａから読込んだカードデータの居室番号（例えば、図２に示す居室番号フィールド２００１に登録された値）と装置Ｂから読込んだカードデータの居室番号とが等しいか否か判定する。双方の居室番号が等しいときは（ステップＳ５０５でＹｅｓ）、ステップＳ５０６に進む。等しくないときは（ステップＳ５０５でＮｏ）、ステップＳ５１４に進む。
【００５２】
ステップＳ５０６において、装置Ａから読込んだカードデータのカードＩＤ（例えば、図２に示すカードＩＤフィールド２００２に登録された値）と装置Ｂから読込んだカードデータのカードＩＤとが等しいか否か判定する。双方のカードＩＤが等しいときは（ステップＳ５０６でＹｅｓ）、ステップＳ５０７に進む。等しくないときは（ステップＳ５０６でＮｏ）、ステップＳ５１０に進む。
【００５３】
ステップＳ５０７において、装置Ａのカードデータの方が装置Ｂのそれと比べて更新日時が古いか否かを判定する。このとき、例えば、装置Ａと装置Ｂとで、図２に示すカードデータの更新日時フィールド２００４に登録された値を比較する。装置Ａのカードデータの方が、更新日時が古いときは（ステップＳ５０７でＹｅｓ）、ステップＳ５０８に進む。古くないときは（ステップＳ５０７でＮｏ）、ステップＳ５０９に進む。
【００５４】
ステップＳ５０８において、装置Ａから読込んだカードデータは装置Ｂのそれよりも古いので、装置Ａのカードデータを装置Ｂのカードデータで上書きする。これにより、装置Ａのカードデータは最新の状態になる。上書きしたらステップＳ５０９に進む。
【００５５】
ステップＳ５０９において、装置Ａ、Ｂからともに次のカードデータを（例えば、図２に示すカードデータのうち、すでに読込んだレコードの１つ下のものを）１件ずつ読込む。そのカードデータ読込めばステップＳ５０２に戻る。
【００５６】
ステップＳ５１０において、装置Ａから読込んだカードデータのカードＩＤの方が装置Ｂから読込んだカードデータのカードＩＤよりも大きいか否か判定する。装置Ａから読込んだカードデータのカードＩＤの方が大きいときは（ステップＳ５１０でＹｅｓ）、ステップＳ５１１に進む。大きくない（つまり、小さい）ときは（ステップＳ５１０でＮｏ）、ステップＳ５１３に進む。
【００５７】
ステップＳ５１１において、もともと装置Ａには記憶されていなかった、装置Ｂのカードデータを装置Ａに追加（登録）する。追加したら、ステップＳ５１２に進む。
【００５８】
ステップＳ５１２において、装置Ｂにおいてのみ、次のカードデータを読込む。装置Ｂにおいてそのカードデータを読込めばステップＳ５０２に戻る。
【００５９】
ステップＳ５１３において、装置Ａにおいてのみ、次のカードデータを読込む。装置Ａにおいてそのカードデータを読込めばステップＳ５０２に戻る。
【００６０】
ステップＳ５１４において、装置Ａから読込んだカードデータの居室番号の方が装置Ｂから読込んだカードデータの居室番号よりも大きいか否か判定する。装置Ａから読込んだカードデータの居室番号の方が大きいときは（ステップＳ５１４でＹｅｓ）、ステップＳ５１５に進む。大きくない（つまり、小さい）ときは（ステップＳ５１４でＮｏ）、ステップＳ５１７に進む。
【００６１】
ステップＳ５１５において、もともと装置Ａには記憶されていなかった、装置Ｂのカードデータを装置Ａに追加（登録）する。追加したら、ステップＳ５１６に進む。
【００６２】
ステップＳ５１６において、装置Ｂにおいてのみ、次のカードデータを読込む。装置Ｂにおいてそのカードデータを読込めばステップＳ５０２に戻る。
【００６３】
ステップＳ５１７において、装置Ａにおいてのみ、次のカードデータを読込む。装置Ａにおいてそのカードデータを読込めばステップＳ５０２に戻る。
【００６４】
このような処理を、一方または両方の装置から読込むカードデータがなくなるまで繰り返す。
以上で、図５に示すフローチャートの説明を終了する。
【００６５】
図６で示す更新の処理手順は以下の通りである。まず、ステップＳ６０１において、装置Ａ、Ｂからともに該当居室の先頭のカードデータを（例えば、図４に示すカードデータのうち最も上位にあるレコードを）読込む。そのカードデータ読込めばステップＳ６０２に進む。
【００６６】
ステップＳ６０２において、装置Ａから該当居室のカードデータを読込めたか否かを判定する。装置Ａから該当居室のカードデータを読込めたときは（ステップＳ６０２でＹｅｓ）、ステップＳ６０３に進み、読込めないときは（ステップＳ６０２でＮｏ）、ステップＳ６０４に進む。
【００６７】
ステップＳ６０３において、装置Ｂから該当居室のカードデータを読込めたか否かを判定する。装置Ｂから該当居室のカードデータを読込めたときは（ステップＳ６０３でＹｅｓ）、ステップＳ６０５に進み、読込めないときは（ステップＳ６０３でＮｏ）、もはや装置Ｂが装置Ａに更新させるべき該当居室のカードデータは存在しないことを意味するので、処理を終了する。
【００６８】
ステップＳ６０４において、もはや装置Ａに更新されることになる該当居室のカードデータは存在しないことを意味するので、装置Ｂから装置Ａに残りの全ての該当居室のカードデータを追加（登録）して、処理を終了する。
【００６９】
ステップＳ６０５において、装置Ａから読込んだ該当居室のカードデータのカードＩＤ（例えば、図４に示すカードＩＤフィールド４００１に登録された値）と装置Ｂから読込んだ該当居室のカードデータのカードＩＤとが等しいか否か判定する。双方のカードＩＤが等しいときは（ステップＳ６０５でＹｅｓ）、ステップＳ６０６に進む。等しくないときは（ステップＳ６０５でＮｏ）、ステップＳ６０９に進む。
【００７０】
ステップＳ６０６において、装置Ａの該当居室のカードデータの方が装置Ｂのそれと比べて更新日時が古いか否かを判定する。このとき、例えば、装置Ａと装置Ｂとで、図４に示すカードデータの更新日時フィールド４００３に登録された値を比較する。装置Ａの該当居室のカードデータの方が、更新日時が古いときは（ステップＳ６０６でＹｅｓ）、ステップＳ６０７に進む。古くないときは（ステップＳ６０６でＮｏ）、ステップＳ６０８に進む。
【００７１】
ステップＳ６０７において、装置Ａから読込んだ該当居室のカードデータは装置Ｂのそれよりも古いので、装置Ａの該当居室のカードデータを装置Ｂの該当居室のカードデータで上書きする。これにより、装置Ａの該当居室のカードデータは最新の状態になる。上書きしたらステップＳ６０８に進む。
【００７２】
ステップＳ６０８において、装置Ａ、Ｂからともに次の該当居室のカードデータを（例えば、図４に示すカードデータのうち、すでに読込んだレコードの１つ下のものを）１件ずつ読込む。その該当居室のカードデータ読込めばステップＳ６０２に戻る。
【００７３】
ステップＳ６０９において、装置Ａから読込んだ該当居室のカードデータのカードＩＤの方が装置Ｂから読込んだ該当居室のカードデータのカードＩＤよりも大きいか否か判定する。装置Ａから読込んだ該当居室のカードデータのカードＩＤの方が大きいときは（ステップＳ６０９でＹｅｓ）、ステップＳ６１０に進む。大きくない（つまり、小さい）ときは（ステップＳ６０９でＮｏ）、ステップＳ６１２に進む。
【００７４】
ステップＳ６１０において、もともと装置Ａには記憶されていなかった、装置Ｂの該当居室のカードデータを装置Ａに追加（登録）する。追加したら、ステップＳ６１１に進む。
【００７５】
ステップＳ６１１において、装置Ｂにおいてのみ、次の該当居室のカードデータを読込む。装置Ｂにおいてその該当居室のカードデータを読込めばステップＳ６０２に戻る。
【００７６】
ステップＳ６１２において、装置Ａにおいてのみ、次の該当居室のカードデータを読込む。装置Ａにおいてその該当居室のカードデータを読込めばステップＳ６０２に戻る。
【００７７】
このような処理を、一方または両方の装置から読込むカードデータがなくなるまで繰り返す。
以上で、図６に示すフローチャートの説明を終了する。
【００７８】
カードデータの更新を行う際、センタ１０のデータベース１０１と代表情報制御装置との間の更新、および、代表情報制御装置と（代表情報制御装置以外の）共用部制御装置２１０情報制御装置２１１との間の更新は、全居室のカードデータについて更新が必要なため、図５で示すフローチャートに従い、処理を行う。一方、代表情報制御装置と専有部制御装置２２０の情報制御装置２２１との間の更新は、ある１つの居室のカードデータについてのみ更新するため、図６で示すフローチャートに従い、処理を行う。
【００７９】
≪まとめ≫
本実施形態により、以下の効果を奏する。すなわち、センタサーバ１００の負荷を低減し、センタサーバ１００と各マンションシステム２０の情報制御装置との間でカードデータの同期を取るために要する時間を短縮することができる。従来はセンタサーバ１００が行っていた同期の処理の大部分を代表情報制御装置が行うことになるので、負荷が分散された状態になるからである。これにより、センタサーバ１００に求められる性能の低減化や、センタ１０にて管理可能な施設や部屋の数を増やすように設計することが可能となる。
【００８０】
≪その他≫
なお、上記実施形態は、本発明を実施するための最良のものであるが、これに限定するものではない。したがって、本発明の要旨を変更しない範囲内において、その実施形式を種々変形することは可能である。
【００８１】
例えば、上記実施形態では、１台の代表情報制御装置が他のすべての情報制御装置によりカードデータの更新を行ったが、この代表情報制御装置は複数台であっても良い。この場合において、まず、代表情報制御装置となる情報制御装置を選ぶだけでなく、その代表情報制御装置が他のすべての情報制御装置のうちどの情報制御装置のカードデータの更新を担当するかという範囲を定めておくと良い。例えば、１つの集合住宅が複数の棟からなる場合、各棟に属する情報制御装置から１つずつ代表情報制御装置を選ぶようにすると良い。
【００８２】
そして、各代表情報制御装置が担当する情報制御装置によりカードデータの更新を行った後、さらに、代表情報制御装置間でカードデータの更新を行う。この場合において、複数の代表情報制御装置のうち、さらに代表となる代表情報制御装置を選ぶようにしても良い。その代表となった代表情報制御装置がセンタサーバ１００と同期の更新処理を行うようにすると良い。また、一方で、複数の代表情報制御装置がそれぞれセンタサーバ１００と同期の更新処理を行うようにしてもよい。センタサーバ１００からしてみれば、どのように代表情報制御装置が選ばれようとも、その代表情報制御装置に対して行う更新の情報処理に差は生じない。
【００８３】
これにより、並行してカードデータの更新処理を行えるため、個人識別データ管理システム全体として同期に要する時間を短縮できる。
【００８４】
また、上記実施形態は、代表情報制御装置の選択は、任意に行うように説明したが、例えば、建物に本発明の個人識別データ管理システムを導入する段階で、単に、代表情報制御装置となる情報制御装置を定めておき、その情報制御装置がセンタサーバ１００と同期の処理を行うように設計しておけば良い。また、個人識別データ管理システムの導入する段階でなく、センタサーバ１００と同期をとる時に、同期を行うのに最適な情報制御装置を代表情報制御装置として選ぶようにすれば良い。例えば、センタサーバ１００、センタクライアント１１０、カードデータ登録装置２３０等の入力部から設定するようにすれば良い。また、例えば、あるマンションシステム２０の一の情報制御装置に、他の情報制御装置のリソースの占有率を判定する手段を設けるようにし、センタサーバ１００と同期をとる時に、最もリソースの占有率が小さな情報制御装置を代表情報制御装置として選ぶようにすれば良い。この場合において、リソースの占有率を判定する手段を有する装置は、マンションシステム２０の一の情報制御装置に限定する必要はなく、他にも、カードデータ登録装置２３０でも、センタサーバ１００でも良い。
【００８５】
また、上記実施形態では、建物としてマンションを採り上げたが、商用ビルや工業施設を備えた建物に対しても適用することが可能である。また、マンションにしてみても、一建物としての集合住宅に限らず、複数の棟からなる集合住宅でも良いし、管理人が存在しない、つまり、カードデータ登録装置２３０が存在しないマンションシステム２０に対しても適用することが可能である。
【００８６】
また、上記実施形態では、複数のマンションを管理するセンタ１０にセンタサーバ１００を備えるシステムを採り上げたが、センタサーバ１００といったサーバではなく、ＰＣ（Personal Computer）、ワークステーション、専用端末その他の制御装置を用いることも可能である。また、情報制御装置、データベース、カードリーダ等における相互のデータ伝送は、有線伝送であっても、無線伝送であってもどちらでも良い。また、個人認証の照合を行うときには、カードリーダのみならず、指紋検出装置、虹彩検出装置、指静脈検出装置、手形検出装置その他の検出装置を用いることも可能である。
【００８７】
その他、ハードウェアや各フローチャートなどの具体的な構成について、本発明の趣旨を逸脱しない範囲で適宜変更が可能である。
【図面の簡単な説明】
【００８８】
【図１】本実施形態の個人識別データ管理システムの概略構成をブロック図として図示したものである。
【図２】一のマンションを対象とするカードデータのデータ構造を図示したものである。
【図３】情報制御装置情報のデータ構造を図示したものである。
【図４】一のマンションにある、居室番号が010201で識別される居室を対象とするカードデータのデータ構造を図示したものである。
【図５】マンションの全居室のカードデータに関して、装置Ｂのカードデータを用いて装置Ａのカードデータを更新する処理手順をフローチャートとして図示したものである。
【図６】マンションのある１つの居室のカードデータに関して、装置Ｂのカードデータを用いて装置Ａのカードデータを更新する処理手順をフローチャートとして図示したものである。
【符号の説明】
【００８９】
１０      センタ
２０      マンションシステム
３０      ネットワーク
１００    センタサーバ
１０１    データベース（ＤＢ）
１１０    センタクライアント
２００    ルータ
２１０    共用部制御装置
２１１    情報制御装置
２１２    カードリーダ
２１３    自動ドア
２２０    専有部制御装置
２２１    情報制御装置
２２２    カードリーダ
２２３    電気錠
２３０    カードデータ登録装置
【図１】
0005002449.tif 000002
【図２】
0005002449.tif 000003
【図３】
0005002449.tif 000004
【図４】
0005002449.tif 000005
【図５】
0005002449.tif 000006
【図６】
0005002449.tif 000007